(57)【要約】【課題】ユーザ情報を交換した状況を容易にユーザに把握させる携帯電話端末を提供する。【解決手段】携帯電話端末１は、対向機情報を受信する赤外線通信制御部１３１と、受信日時を日時情報に含んだスケジュール情報をスケジュールデータベース１４から取得するスケジュール情報取得部１３３と、対向機情報と、取得したスケジュール情報とを対応付けて記憶するデータ登録部１３５と、を備える。【選択図】図１
2014050043.tif 000002
【特許請求の範囲】
【請求項１】
スケジュールの各エントリの日時情報を含んだスケジュール情報を記憶するスケジュール記憶部と、
当該携帯電話端末の対向機から当該対向機に設定されている対向機情報を受信する受信手段と、
上記受信手段が上記対向機情報を受信した受信日時を上記日時情報に含んだスケジュール情報が、上記スケジュール記憶部に記憶されているか否かを判定する判定手段と、
上記判定手段によって、上記受信日時を日時情報に含んだスケジュール情報が上記スケジュール記憶部に記憶されていると判定されたとき、当該スケジュール情報を上記スケジュール記憶部から取得するスケジュール取得手段と、
上記対向機情報と上記スケジュール情報とを対応付けて記憶する対向機情報記憶手段と、を備えていることを特徴とする携帯電話端末。
【請求項２】
上記判定手段によって、上記受信日時を日時情報に含んだスケジュール情報が上記スケジュール記憶部に記憶されていないと判定されたとき、上記スケジュール取得手段は、当該スケジュール情報を外部機器から取得することを特徴とする請求項１に記載の携帯電話端末。
【請求項３】
上記判定手段によって、上記受信日時を日時情報に含んだスケジュール情報が無いと判定されたとき、上記スケジュール取得手段は、上記受信日時の前後所定の時間を日時情報に含んだスケジュール情報を取得することを特徴とする請求項１または２に記載の携帯電話端末。
【請求項４】
上記スケジュール情報には、スケジュールの少なくとも１つのエントリのタイトルが含まれることを特徴とする請求項１から３の何れか１項に記載の携帯電話端末。
【請求項５】
上記スケジュール情報には、スケジュールの少なくとも１つのエントリに対応するメッセージが含まれることを特徴とする請求項１から４の何れか１項に記載の携帯電話端末。
【請求項６】
上記スケジュール情報には、スケジュールの少なくとも１つのエントリが示すイベントが行われる場所を示す場所情報が含まれることを特徴とする請求項１から５の何れか１項に記載の携帯電話端末。
【請求項７】
上記対向機情報記憶手段は、上記対向機情報と、上記スケジュール情報とを対応付けて当該携帯電話端末が管理するアドレス帳に記憶することを特徴とする請求項１から６の何れか１項に記載の携帯電話端末。
【請求項８】
上記対向機情報と、当該対向機情報に対応付けて記憶されたスケジュール情報とを画面に表示するための表示手段を更に備えていることを特徴とする請求項１から７の何れか１項に記載の携帯電話端末。
【請求項９】
スケジュールの各エントリの日時情報を含んだスケジュール情報を記憶するスケジュール記憶部を備えた携帯電話端末の制御方法であって、
当該携帯電話端末の対向機から当該対向機に設定されている対向機情報を受信する受信工程と、
上記受信工程において上記対向機情報を受信した受信日時を上記日時情報に含んだスケジュール情報が、上記スケジュール記憶部に記憶されているか否かを判定する判定工程と、
上記判定工程において、上記受信日時を日時情報に含んだスケジュール情報が上記スケジュール記憶部に記憶されていると判定されたとき、当該スケジュール情報を上記スケジュール記憶部から取得するスケジュール取得工程と、
上記対向機情報と上記スケジュール情報とを対応付けて記憶する対向機情報記憶工程と、を含むことを特徴とする携帯電話端末の制御方法。
【請求項１０】
請求項１から８の何れか１項に記載の携帯電話端末と、当該携帯電話端末の対向機とを備えていることを特徴とするシステム。
【請求項１１】
上記携帯電話端末と通信を行う外部機器を更に備えていることを特徴とする請求項１０に記載のシステム。
【請求項１２】
請求項１から８の何れか１項に記載の携帯電話端末を動作させるためのプログラムであって、上記携帯電話端末が備えるコンピュータを、上記携帯電話端末が備える上記各手段として機能させることを特徴とするプログラム。
【請求項１３】
請求項１２に記載のプログラムが記録されたコンピュータ読み取り可能な記録媒体。
【発明の詳細な説明】
【技術分野】
【０００１】
本発明は、対向機に設定された対向機情報を受信することが可能な携帯電話端末、携帯電話端末の制御方法、システム、プログラムおよび記録媒体に関する。
【背景技術】
【０００２】
従来、携帯電話端末等の携帯通信機器には、電話番号等を交換する機能がある。このような機能を用いて、携帯電話端末間で電話番号等を交換後、交換した電話番号がどのような状況で交換したのかをユーザが把握できないという場合がある。
【０００３】
特許文献１には、個人情報を入力したホワイトカード情報の交換がなされると、所定時間内に受信した交換相手のホワイトカード情報を自動的にグループ化する携帯端末装置が記載されている。
【０００４】
また、特許文献２には、記憶条件を満たした受信情報とその相手の撮影画像とを対応付けてアドレス帳記憶部に記憶させる端末装置が記載されている。
【先行技術文献】
【特許文献】
【０００５】
【特許文献１】特開２００９−１４７８２８号公報（２００９年７月２日公開）
【特許文献２】特開２０１１−１９０１４号公報（２０１１年１月２７日公開）
【発明の概要】
【発明が解決しようとする課題】
【０００６】
しかし、特許文献１の技術では、ユーザは、グループ化されたユーザ全てを把握できない場合、どのような状況で電話番号を交換したのかを、十分に把握することができない。また、特許文献２の技術では、ユーザは、交換相手の人物を把握するに留まり、どのような状況で電話番号を交換したのかを、十分に把握できない場合がある。
【０００７】
本発明は、上記課題に鑑みてなされたものであり、その目的は、電話番号等のユーザ情報を交換した状況を容易にユーザに把握させる携帯電話端末を提供することにある。
【課題を解決するための手段】
【０００８】
上記の課題を解決するために、本発明の一様態に係る携帯電話端末は、スケジュールの各エントリの日時情報を含んだスケジュール情報を記憶するスケジュール記憶部と、当該携帯電話端末の対向機から当該対向機に設定されている対向機情報を受信する受信手段と、上記受信手段が上記対向機情報を受信した受信日時を上記日時情報に含んだスケジュール情報が、上記スケジュール記憶部に記憶されているか否かを判定する判定手段と、上記判定手段によって、上記受信日時を日時情報に含んだスケジュール情報が上記スケジュール記憶部に記憶されていると判定されたとき、当該スケジュール情報を上記スケジュール記憶部から取得するスケジュール取得手段と、上記対向機情報と上記スケジュール情報とを対応付けて記憶する対向機情報記憶手段と、を備えていることを特徴としている。
【０００９】
上記構成によれば、上記携帯電話端末は、対向機から受信した対向機情報と、当該対向機情報を受信した受信日時を日時情報に含んだスケジュール情報とを対応付けて記憶する。これにより、ユーザは、対向機情報を受信した際のスケジュールを把握することができる。
【００１０】
よって、携帯電話端末は、電話番号等の対向機情報を受信した状況を容易にユーザに把握させることができるという効果を奏する。
【００１１】
また、本発明の一様態に係る携帯電話端末は、上記判定手段によって、上記受信日時を日時情報に含んだスケジュール情報が上記スケジュール記憶部に記憶されていないと判定されたとき、上記スケジュール取得手段は、当該スケジュール情報を外部機器から取得することが好ましい。
【００１２】
上記構成によれば、上記受信日時を日時情報に含んだスケジュール情報が上記携帯電話端末のスケジュール記憶部に記憶されていない場合であっても、上記受信日時を日時情報に含んだスケジュール情報を外部機器から取得することができる。
【００１３】
これにより、上記携帯電話端末は、対向機から受信した対向機情報と、当該対向機情報を受信した日時を日時情報に含んだスケジュール情報であって、外部機器から取得したスケジュール情報とを対応付けて記憶することができる。従って、ユーザは、より好適に対向機情報を受信したスケジュールを把握することができる。
【００１４】
また、本発明の一様態に係る携帯電話端末は、上記判定手段によって、上記受信日時を日時情報に含んだスケジュール情報が無いと判定されたとき、上記スケジュール取得手段は、上記受信日時の前後所定の時間を日時情報に含んだスケジュール情報を取得する構成であってもよい。
【００１５】
上記構成によれば、例えば、スケジュールのエントリが示すイベントの開始前または終了後の所定の時間内に対向機から対向機情報を受信した場合であっても、上記携帯電話端末は、上記受信日時の前後所定の時間を日時情報に含んだスケジュール情報を取得することができる。
【００１６】
これにより、上記携帯電話端末は、対向機から受信した対向機情報と、上記取得したスケジュール情報とを対応付けて記憶することができる。従って、ユーザは、より好適に対向機情報を受信したスケジュールを把握することができる。よって、携帯電話端末は、電話番号等の対向機情報を受信した状況をより好適にユーザに把握させることができる。
【００１７】
また、本発明の一様態に係る携帯電話端末における上記スケジュール情報には、スケジュールの少なくとも１つのエントリのタイトルが含まれることが好ましい。
【００１８】
また、本発明の一様態に係る携帯電話端末における上記スケジュール情報には、スケジュールの少なくとも１つのエントリに対応するメッセージが含まれる構成であってもよい。
【００１９】
また、本発明の一様態に係る携帯電話端末における上記スケジュール情報には、スケジュールの少なくとも１つのエントリが示すイベントが行われる場所を示す場所情報が含まれる構成であってもよい。
【００２０】
また、本発明の一様態に係る携帯電話端末における上記対向機情報記憶手段は、上記対向機情報と、上記スケジュール情報とを対応付けて当該携帯電話端末が管理するアドレス帳に記憶する構成であってもよい。
【００２１】
上記構成によれば、ユーザは、アドレス帳に記憶された対向機情報から、当該対向機情報が記憶された状況をより容易に把握することができる。
【００２２】
また、本発明の一様態に係る携帯電話端末は、上記対向機情報と、当該対向機情報に対応付けて記憶されたスケジュール情報とを画面に表示するための表示手段を更に備えていることが好ましい。
【００２３】
上記構成によれば、上記表示手段は、上記対向機情報と、当該対向機情報に対応付けて記憶されたスケジュール情報とを、画面に表示する。よって、より好適に電話番号等の対向機情報を受信した状況を容易にユーザに把握させることができる。
【００２４】
上記課題を解決するために、本発明の一様態にかかる携帯電話端末の制御方法は、スケジュールの各エントリの日時情報を含んだスケジュール情報を記憶するスケジュール記憶部を備えた携帯電話端末の制御方法であって、当該携帯電話端末の対向機から当該対向機に設定されている対向機情報を受信する受信工程と、上記受信工程において上記対向機情報を受信した受信日時を上記日時情報に含んだスケジュール情報が、上記スケジュール記憶部に記憶されているか否かを判定する判定工程と、上記判定工程において、上記受信日時を日時情報に含んだスケジュール情報が上記スケジュール記憶部に記憶されていると判定されたとき、当該スケジュール情報を上記スケジュール記憶部から取得するスケジュール取得工程と、上記対向機情報と上記スケジュール情報とを対応付けて記憶する対向機情報記憶工程と、を含むことを特徴としている。
【００２５】
上記の構成によれば、本発明の一様態に係る携帯電話端末と同様の効果を奏する。
【００２６】
また、上記携帯電話端末と、当該携帯電話端末の対向機とを備えているシステム、および、当該携帯電話端末と通信を行う外部機器を更に備えているシステムも本発明の範疇に含まれる。
【００２７】
また、上記携帯電話端末を動作させるためのプログラムであって、上記携帯電話端末が備えるコンピュータを、上記携帯電話端末が備える上記各手段として機能させるためのプログラム、および、上記プログラムが記録されたコンピュータ読み取り可能な記録媒体も本発明の範疇に含まれる。
【発明の効果】
【００２８】
本発明の一様態に係る携帯電話端末は、スケジュールの各エントリの日時情報を含んだスケジュール情報を記憶するスケジュール記憶部と、当該携帯電話端末の対向機から当該対向機に設定されている対向機情報を受信する受信手段と、上記受信手段が上記対向機情報を受信した受信日時を上記日時情報に含んだスケジュール情報が、上記スケジュール記憶部に記憶されているか否かを判定する判定手段と、上記判定手段によって、上記受信日時を日時情報に含んだスケジュール情報が上記スケジュール記憶部に記憶されていると判定されたとき、当該スケジュール情報を上記スケジュール記憶部から取得するスケジュール取得手段と、上記対向機情報と上記スケジュール情報とを対応付けて記憶する対向機情報記憶手段と、を備えていることを特徴としている。
【００２９】
上記構成によれば、携帯電話端末は、電話番号等の対向機情報を受信した状況を容易にユーザに把握させることができるという効果を奏する。
【図面の簡単な説明】
【００３０】
【図１】通信システムのシステム構成および携帯電話端末の内部構成の一例を示す図である。
【図２】携帯電話端末の処理の流れの一例を示すフローチャートである。
【図３】電話帳データベースに登録された電話帳データの画面表示の一例を示す図である。
【図４】スケジュールデータベースの一例を示す図である。
【発明を実施するための形態】
【００３１】
以下、本発明の実施の形態について、図面を用いて詳細に説明する。なお、以下の説明では本発明を実施するために好ましい種々の限定が付与されているが、本発明の技術的範囲は以下の実施例及び図面の記載に限定されるものではない。
【００３２】
（通信システムの概略）
本実施形態に係る通信システム１００の構成について、図１を参照して説明する。図１は、本実施形態における通信システム１００のシステム構成および携帯電話端末１の内部構成の一例を示す図である。なお、図１に示すブロック図は、携帯電話端末１が有する各種機能のうち、本発明に特有なものを表現したものであり、携帯電話端末１が、図１に示されていない機能を有していてもよいことは言うまでもない。
【００３３】
図１に示すように、通信システム１００は、携帯電話端末１、１’、無線基地局２およびサーバ３を含んでいる。
【００３４】
携帯電話端末１は、他の機器（外部機器）と通信を行うための機能を有している。携帯電話端末１は、無線基地局２および携帯電話端末１’のそれぞれと通信を行う。ここで、携帯電話端末１’は、携帯電話端末１の通信相手である対向機として構成されている。なお、携帯電話端末１’の内部構成は、携帯電話端末１と同様であるとする。
【００３５】
携帯電話端末１と携帯電話端末１’との通信は、例えば、赤外線通信を用いる。なお、携帯電話端末１と携帯電話端末１’との通信は、赤外線通信に代えて、例えば、Ｗｉ−Ｆｉ（登録商標）などの無線通信を用いてもよい。すなわち、本発明は特定の通信手段や通信規格に拘泥するものではない。また、携帯電話端末１と無線基地局２との通信は、例えば、Ｗｉ−Ｆｉ（登録商標）等の無線通信を用いるが、これに限定されるものではない。
【００３６】
無線基地局２は、ネットワークを介してサーバ３と通信を行う機能を有している。サーバ３は、無線基地局２と携帯電話端末１とが無線通信するように、無線基地局２を制御する。
【００３７】
なお、図１において、無線基地局２およびサーバ３は、一つである構成を例に説明を行うが、携帯電話端末１と通信を行う無線基地局２は複数であってもよく、また、無線基地局２と通信を行うサーバ３は、複数であってもよい。
【００３８】
（サーバ３の概略）
次に、図１を参照して、サーバ３の概略を説明する。図１に示すように、サーバ３は、通信部３１、制御部３２およびスケジュールデータベース３３を備えている。
【００３９】
通信部３１は、ネットワークを介して無線基地局２と通信を行う。通信部３１は、制御部３２から受信したデータ等の情報を無線基地局２に送信する。また、通信部３１は、無線基地局２から受信した指示等の情報を制御部３２に送信する。
【００４０】
スケジュールデータベース３３は、図示しない記憶装置に含まれるデータベースである。スケジュールデータベース３３は、ユーザが登録したスケジュールの情報（スケジュール情報）を系統的に記憶している。
【００４１】
制御部３２は、サーバ３内の各種構成を統括的に制御するものである。制御部３２は、例えば、通信部３１が無線基地局２から受信した指示に基づいて、スケジュールデータベース３３に記録されているスケジュール情報を取得し、無線基地局２に送信するよう通信部３１を制御する。
【００４２】
（携帯電話端末１の概略）
次に、図１を参照して、携帯電話端末１の概略を説明する。図１に示すように、携帯電話端末１は、無線通信部１１、赤外線通信部１２、制御部１３、スケジュールデータベース（スケジュール記憶部）１４、電話帳データベース１５および表示部１６を備えている。
【００４３】
無線通信部１１は、図示しないアンテナを介して、無線基地局２と無線通信を行う。無線通信部１１は、制御部１３から受信した指示等の情報を、アンテナを介して無線基地局２に送信する。また、無線通信部１１は、アンテナを介して無線基地局２から受信したデータ等の情報を制御部１３に送信する。
【００４４】
赤外線通信部１２は、制御部１３から受信したデータ等を示す赤外線信号を携帯電話端末１’等の対向機に対して送信する。また、赤外線通信部１２は、対向機から赤外線信号を受信し、受信した赤外線信号に含まれるデータ等を制御部１３に送信する。
【００４５】
制御部１３は、携帯電話端末１内の各種構成を統括的に制御するものである。制御部１３は、ＣＰＵ（Central Processing Unit）、ＲＯＭ（Read Only Memory）、ＲＡＭ（Random Access Memory）等を備えて構成されており、ＲＯＭ、ＲＡＭ等に記録されているプログラムをＣＰＵが実行する。制御部１３の構成については、後述する。
【００４６】
スケジュールデータベース１４は、図示しない記憶装置に含まれるデータベースである。スケジュールデータベース１４は、ユーザが登録したスケジュールの情報（スケジュール情報）を系統的に記憶している。
【００４７】
ここで、スケジュールデータベース１４が記憶しているスケジュール情報の一例を、図４を参照して説明する。図４は、スケジュールデータベース１４の一例を示す図である。なお、サーバ３のスケジュールデータベース３３も同様の構成を有していてもよいし、スケジュールデータベース１４とは異なる構成を有していてもよい。
【００４８】
図４に示すように、スケジュールデータベース１４が記憶しているスケジュールには、１または複数（図４においては３つ）のエントリが含まれている。各エントリには、当該エントリの日時情報、当該エントリのタイトル（件名）、当該エントリが示すイベントが行われる場所を示す場所情報、当該エントリに対応する文字情報（メッセージ）等を含んだスケジュール情報が含まれている。なお、スケジュール情報はこれに限定されない。
【００４９】
電話帳データベース１５は、図示しない記憶装置に含まれるデータベースである。電話帳データベース１５は、当該携帯電話端末１が管理する電話帳（アドレス帳）を記憶している。電話帳に含まれるユーザ情報として、例えば、氏名、電話番号およびメールアドレス等が挙げられるがこれに限定されるものではない。
【００５０】
スケジュールデータベース１４および電話帳データベース１５は図示しない記憶装置に含まれている。なお、スケジュールデータベース１４と電話帳データベース１５とは、同じ記憶装置に含まれていてもよいし、別々の記憶装置に含まれていてもよい。
【００５１】
表示部１６は、スケジュールデータベース１４および電話帳データベース１５が記憶している情報を画面に表示するための表示手段である。
【００５２】
（制御部１３の構成）
次に、制御部１３の構成について図１を参照して説明する。図１に示すように、制御部１３は、赤外線通信制御部（受信手段）１３１、無線通信制御部（スケジュール取得手段）１３２、スケジュール情報取得部（判定手段、スケジュール取得手段）１３３、登録データ作成部１３４、データ登録部（対向機情報記憶手段）１３５および表示制御部１３６を備えている。
【００５３】
赤外線通信制御部１３１は、当該携帯電話端末１に対応付けて設定されている携帯電話番号および携帯電話メールアドレス、当該携帯電話端末１の使用者の氏名等のユーザ情報を対向機に送信するよう赤外線通信部１２を制御する。また、赤外線通信制御部１３１は、対向機に対応付けて設定されている携帯電話番号および携帯電話メールアドレス、当該対向機の使用者の氏名等のユーザ情報（対向機情報）を受信するよう赤外線通信部１２を制御する。このように、赤外線通信制御部１３１は、赤外線通信部１２を介して、互いのユーザ情報を交換する。
【００５４】
赤外線通信制御部１３１は、赤外線通信部１２が受信したユーザ情報を登録データ作成部１３４に供給する。また、赤外線通信制御部１３１は、上記ユーザ情報を受信した日時（受信日時）をスケジュール情報取得部１３３に通知する。
【００５５】
無線通信制御部１３２は、スケジュールデータベース１４が記憶しているスケジュールと、サーバ３のスケジュールデータベース３３が記憶しているスケジュールとの同期を取るためにサーバ３のスケジュールデータベース３３が記憶しているスケジュールを受信するよう無線通信部１１を制御する。
【００５６】
そして、無線通信制御部１３２は、無線通信部１１が受信したスケジュール情報を取得する。無線通信制御部１３２は、取得したスケジュール情報を無線通信制御部１３２内に備えられたメモリ等に記録してもよいし、スケジュールデータベース１４に記録してもよい。無線通信制御部１３２は、無線通信部１１からスケジュール情報を取得したことをスケジュール情報取得部１３３に通知する。なお、無線通信制御部１３２の具体的な処理については、参照する図面を代えて後で詳述する。
【００５７】
スケジュール情報取得部１３３は、赤外線通信制御部１３１から通知された受信日時を日時情報に含んだスケジュール情報がスケジュールデータベース１４に記憶されているか否かを判定する。そして、受信日時を日時情報に含んだスケジュール情報が記憶されている場合、スケジュール情報取得部１３３は、当該スケジュール情報をスケジュールデータベース１４から取得する。
【００５８】
また、スケジュール情報取得部１３３は、赤外線通信制御部１３１から通知された受信日時を日時情報に含んだスケジュール情報が、無線通信制御部１３２がサーバ３から取得したスケジュール情報に含まれているか否かを判定し、含まれている場合、当該スケジュール情報を当該スケジュール情報が保存された場所から取得する。
【００５９】
その後、スケジュール情報取得部１３３は、取得したスケジュール情報を登録データ作成部１３４に送信する。
【００６０】
登録データ作成部１３４は、対向機のユーザ情報と、受信日時を日時情報に含んだスケジュール情報とを対応付けて電話帳データベース１５に登録可能な形式に変換したデータ（電話帳データ）を作成する。登録可能な形式とは、例えばｖＣａｒｄ等が挙げられるがこれに限定されるものではない。登録データ作成部１３４は、作成した電話帳データをデータ登録部１３５に供給する。
【００６１】
データ登録部１３５は、登録データ作成部１３４から供給された電話帳データを電話帳データベース１５に保存（記憶）する。
【００６２】
表示制御部１３６は、画面に表示するための電話帳データを電話帳データベース１５から取得し、表示部１６に供給する。
【００６３】
（処理の流れ）
次に、図２を参照して、本実施形態に係る携帯電話端末１の処理の流れを説明する。図２は、本実施形態に係る携帯電話端末１の処理の流れの一例を示すフローチャートである。なお、本実施形態においては、携帯電話端末１のユーザ情報と対向機のユーザ情報とを交換することを例に説明を行う。つまり、携帯電話端末１が携帯電話端末１のユーザ情報を送信した日時（送信日時）と、携帯電話端末１が対向機のユーザ情報を受信した日時（受信日時）と、が同時であることを例に説明を行う。なお、本発明はこれに限定されず、異なる日時であってもよい。図２において、「交換日時」とは、携帯電話端末１と対向機とが、携帯電話端末１のユーザ情報と対向機のユーザ情報とを交換した日時を示すが、携帯電話端末１が携帯電話端末１のユーザ情報を送信した送信日時と、携帯電話端末１が対向機のユーザ情報を受信した受信日時とが異なる場合、「交換日時」とは、携帯電話端末１が対向機のユーザ情報を受信した受信日時を示す。
【００６４】
まず、赤外線通信制御部１３１が、赤外線通信部１２を介して携帯電話端末１の対向機である携帯電話端末１’から携帯電話端末１’に対応付けて設定されている電話番号、当該携帯電話端末１’の使用者の氏名等のユーザ情報を受信する（ステップＳ１。以下、単にＳ１とする）（受信工程）と、スケジュール情報取得部１３３は、ユーザ情報を受信した日時（交換日時）を日時情報に含んだスケジュール情報（以降、交換日時のスケジュール情報と呼ぶ）がスケジュールデータベース１４に記憶されているか否かを判定する（Ｓ２、判定工程）。
【００６５】
交換日時のスケジュール情報がスケジュールデータベース１４に記憶されている場合（Ｓ２にてＹＥＳ）、スケジュール情報取得部１３３は、交換日時のスケジュール情報を取得する（スケジュール取得工程）。そして、登録データ作成部１３４は、対向機の電話番号などのユーザ情報と、交換日時のスケジュール情報とを対応付けて電話帳データベース１５に登録可能な形式に変換したデータ（電話帳データ）を作成する。そして、データ登録部１３５は、電話帳データを電話帳データベース１５の電話帳に保存（記憶）する（Ｓ３、対向機情報記憶工程）。
【００６６】
交換日時のスケジュール情報がスケジュールデータベース１４に記憶されていない場合（Ｓ２にてＮＯ）、無線通信制御部１３２は、スケジュール同期処理を開始する。具体的には、無線通信制御部１３２は、スケジュールデータベース１４に登録されているスケジュールと、サーバ３に登録されているスケジュールとの同期を取るためにサーバ３に登録されているスケジュールを取得するよう無線通信部１１を制御する。そして、無線通信部１１は、サーバ３のスケジュールデータベース３３に登録されているスケジュール情報を送信する指示を、無線基地局２に送信する（Ｓ４）。これによりスケジュール同期処理が開始される。
【００６７】
そして、無線通信制御部１３２は、スケジュール同期処理が終了したか否かを確認する。つまり、無線通信制御部１３２は、サーバ３のスケジュールデータベース３３に登録されているスケジュール情報を取得したか否かを確認する（Ｓ５）。
【００６８】
スケジュール同期処理が終了していない場合（Ｓ５にてＮＯ）、無線通信制御部１３２は、スケジュール同期処理を開始して５秒以上経過したか否かを確認する（Ｓ６）。スケジュール同期処理を開始して５秒以上経過していない場合（Ｓ６にてＮＯ）、無線通信制御部１３２は、Ｓ５に戻り、再度、スケジュール同期処理が終了したか否かを確認する。
【００６９】
スケジュール同期処理を開始して５秒以上経過している場合（Ｓ６にてＹＥＳ）、無線通信制御部１３２は、当該スケジュール同期処理をバックグラウンドに移す。そして、無線通信制御部１３２は、登録データ作成部１３４に対し、スケジュール同期処理を開始してから５秒以上経過したことを通知する。登録データ作成部１３４は、上記通知を受信すると、対向機の電話番号等のユーザ情報のみを用いて、電話帳データを作成し、データ登録部１３５は、電話帳データを電話帳データベース１５の電話帳に保存する（Ｓ７）。このとき、携帯電話端末１の表示画面には、交換したユーザ情報を電話帳に保存したことを示すメッセージを表示してもよい。
【００７０】
なお、Ｓ６において、無線通信制御部１３２は、スケジュール同期処理を開始してから、当該処理をバックグラウンドに移すまでの時間は、５秒であると説明したが、本発明はこれに限定されず、任意の時間であってもよい。スケジュール同期処理を開始してから、当該処理をバックグラウンドに移すまでの時間は、電話番号等のユーザ情報の交換後、スケジュール同期処理を行うことによって、当該ユーザ情報の保存までに時間がかかった場合において、ユーザの待ち時間を減らすために設けた設定である。当該時間はユーザによって自由に設定することもできる。
【００７１】
その後、無線通信制御部１３２は、同期が成功したか失敗したかを判定する。具体的には、無線通信制御部１３２は、スケジュール同期処理を開始して所定の時間が経過するまでにスケジュール同期処理が終了した場合は、同期が成功したと判定する。無線通信制御部１３２は、スケジュール同期処理を開始して所定の時間が経過しても、スケジュール同期処理が終了しない場合、同期が失敗したと判定する。また、同期が失敗したと判定する条件はこれに限定されず、例えば、当該携帯電話端末１が通信可能な範囲の外（圏外）であり、サーバ３と同期ができない場合であっても、無線通信制御部１３２は、同期が失敗したと判定する（Ｓ８）。
【００７２】
バックグラウンドで同期が成功した場合（Ｓ８にてＮＯ）、または、スケジュール同期処理を開始して５秒以上経過する前にスケジュール同期処理が終了した場合（Ｓ５にてＹＥＳ）、無線通信制御部１３２は、取得したスケジュール情報を所定の記憶装置に記憶する。なお、本実施形態においては、取得したスケジュール情報は、無線通信制御部１３２に備えられたメモリに記録されるとするがこれに限定されるものではない。無線通信制御部１３２は、スケジュール同期処理が完了したことをスケジュール情報取得部１３３に通知する（Ｓ９）。
【００７３】
スケジュール情報取得部１３３は、スケジュール同期処理が完了したことを示す通知を受け取ると、無線通信制御部１３２のメモリに記録されたスケジュール情報であって、サーバ３から取得したスケジュール情報に、ユーザ情報を受信した日時（交換日時）を日時情報に含んだスケジュール情報が有るか否かを判定する（Ｓ１０）。
【００７４】
交換日時のスケジュール情報が有る場合（Ｓ１０にてＹＥＳ）、登録データ作成部１３４は、交換日時のスケジュール情報を対向機の電話番号などのユーザ情報に対応付けて、電話帳データベース１５に登録可能な形式に変換したデータ（電話帳データ）を作成する。そして、データ登録部１３５は、当該電話帳データを、Ｓ７にて保存した電話帳データに追加して、電話帳データベース１５の電話帳に上書き保存する（Ｓ１１）。
【００７５】
バックグラウンドで同期が失敗した場合（Ｓ８にてＹＥＳ）、または、交換日時のスケジュール情報が無い場合（Ｓ１０にてＮＯ）、スケジュール情報取得部１３３は、スケジュールデータベース１４、または、無線通信制御部１３２のメモリに記録されたスケジュール情報であって、サーバ３から取得したスケジュール情報に、交換日時の前後一時間以内の時間を日時情報に含んだスケジュール情報が有るか否かを判定する（Ｓ１２）。
【００７６】
例えば、スケジュールデータベース１４に１８：００〜２０：００の日時情報を含んだスケジュール情報が登録されており、交換日時が１７：３０であったとき、スケジュール情報取得部１３３は、交換日時の前後一時間以内の時間を日時情報に含んだスケジュール情報があると判断する。
【００７７】
交換日時の前後一時間以内のスケジュール情報が有る場合（Ｓ１２にてＹＥＳ）、登録データ作成部１３４は、交換日時の前後一時間以内のスケジュール情報を対向機の電話番号などのユーザ情報に対応付けて、電話帳データベース１５に登録可能な形式に変換したデータ（電話帳データ）を作成する。そして、データ登録部１３５は、当該電話帳データを、Ｓ７にて保存した電話帳データに追加して、電話帳データベース１５の電話帳に上書き保存する（Ｓ１３）。
【００７８】
交換日時の前後一時間以内のスケジュール情報が無い場合（Ｓ１２にてＮＯ）、データ登録部１３５は、交換日時をＳ７にて保存した電話帳データに追加して、電話帳データベース１５の電話帳に上書き保存する（Ｓ１４）。
【００７９】
なお、Ｓ１２において、スケジュール情報取得部１３３は、交換日時の前後一時間以内の時間を日時情報に含んだスケジュール情報が有るか否かを判定したが、本発明はこれに限定されるものではなく、前後所定の時間以内の時間を日時情報に含んだスケジュール情報があるか否かを判定してもよい。なお、上記所定の時間は、固定値であってもよいし、ユーザが設定可能な値であってもよい。
【００８０】
次に、図３を参照して、電話帳データベース１５に保存（記憶）された電話帳データの一例について説明する。図３は、電話帳データベース１５に登録された電話帳データの画面表示の一例を示す図である。
【００８１】
ユーザ情報を交換した相手が山田太郎さんであり、山田太郎さんの携帯電話端末から送信されたユーザ情報に氏名、当該携帯電話端末の電話番号および携帯電話端末のメールアドレスが含まれているとする。また、図３に示す電話帳データは、Ｓ３、Ｓ１１、Ｓ１３で電話帳に保存されたデータであるとする。
【００８２】
図３に示すように、携帯電話端末１の画面には、電話帳データベース１５に保存された電話帳データが表示されている。電話帳データには、相手の氏名「山田太郎」、携帯電話番号「090-1234-5678」、携帯電話メールアドレス「yamada_taro@xxxx.zzzz.jp」と共に、スケジュールデータベース１４またはスケジュールデータベース３３に記憶されたスケジュール情報であって、山田太郎さんのユーザ情報を受信した日時、または、当該日時の前後１時間以内の時間を日時情報に含んだスケジュール情報に含まれるタイトル（件名）が電話帳の「メモ」欄に記載されている。なお、スケジュール情報に含まれるタイトルは、電話帳の「メモ」欄に限らず、当該電話帳の「山田太郎」に対応付けて表示される場所であればよい。また、図３では、「メモ」欄にはタイトルのみが表示されているが、本発明はこれに限定されず、例えば、図４に示したスケジュール情報が表示されてもよい。
【００８３】
このように、受信したユーザ情報と、当該ユーザ情報を受信した日時を日時情報に含んだスケジュール情報とが対応付けられて電話帳データベース１５に記憶された電話帳データを、画面に表示することにより、より好適に電話番号等のユーザ情報を受信した状況を容易にユーザに把握させることができる。
【００８４】
以上のように、本実施形態に係る携帯電話端末１は、スケジュールの各エントリの日時情報を含んだスケジュール情報を記憶するスケジュールデータベース１４と、携帯電話端末１の対向機（例えば、携帯電話端末１’）から当該対向機に設定されている対向機情報（ユーザ情報）を受信する赤外線通信制御部１３１と、対向機情報を受信した受信日時を日時情報に含んだスケジュール情報が、スケジュールデータベース１４に記憶されているか否かを判定し、受信日時を日時情報に含んだスケジュール情報がスケジュールデータベース１４に記憶されていると判定されたとき、当該スケジュール情報をスケジュールデータベース１４から取得するスケジュール情報取得部１３３と、対向機情報とスケジュール情報とを対応付けて記憶するデータ登録部１３５と、を備えていることを特徴としている。
【００８５】
上記構成によれば、携帯電話端末１は、対向機から受信した対向機情報と、当該対向機情報を受信した日時を日時情報に含んだスケジュール情報とを対応付けて記憶する。これにより、ユーザは、対向機情報を受信した際のスケジュールを把握することができる。
【００８６】
よって、携帯電話端末１は、電話番号等の対向機情報を受信した状況を容易にユーザに把握させることができるという効果を奏する。
【００８７】
また、受信日時を日時情報に含んだスケジュール情報がスケジュールデータベース１４に記憶されていないと判定されたとき、スケジュール情報取得部１３３は、当該スケジュール情報をサーバ３から取得する。
【００８８】
上記構成によれば、受信日時を日時情報に含んだスケジュール情報が携帯電話端末１のスケジュールデータベース１４に記憶されていない場合であっても、上記受信日時を日時情報に含んだスケジュール情報をサーバ３等の外部機器から取得することができる。
【００８９】
これにより、携帯電話端末１は、対向機から受信したユーザ情報と、当該ユーザ情報を受信した日時を日時情報に含んだスケジュール情報であって、外部機器から取得したスケジュール情報とを対応付けて記憶することができる。従って、ユーザは、より好適に対向機情報を受信したスケジュールを把握することができる。
【００９０】
〔補足〕
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００９１】
最後に、携帯電話端末１の各ブロックは、ハードウェアロジックによって構成してもよいし、次のようにＣＰＵを用いてソフトウェアによって実現してもよい。
【００９２】
すなわち、携帯電話端末１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯電話端末１の制御プログラムのプログラムコード（実行形式プログラム、中間コードプログラム、ソースプログラム）をコンピュータで読み取り可能に記録した記録媒体を、上記携帯電話端末１に供給し、そのコンピュータ（またはＣＰＵやＭＰＵ）が記録媒体に記録されているプログラムコードを読み出し実行することによっても、達成可能である。
【００９３】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ（登録商標）／フラッシュＲＯＭ等の半導体メモリ系などを用いることができる。
【００９４】
また、携帯電話端末１を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【００９５】
本発明は、携帯電話端末に好適に利用することができる。
【符号の説明】
【００９６】
１  携帯電話端末
１’  携帯電話端末
１１  無線通信部
１２  赤外線通信部
１３  制御部
１３１  赤外線通信制御部（受信手段）
１３２  無線通信制御部（スケジュール取得手段）
１３３  スケジュール情報取得部（判定手段、スケジュール取得手段）
１３４  登録データ作成部
１３５  データ登録部（対向機情報記憶手段）
１３６  表示制御部
１４  スケジュールデータベース（スケジュール記憶部）
１５  電話帳データベース
１６  表示部（表示手段）
２  無線基地局
３  サーバ
３１  通信部
３２  制御部
３３  スケジュールデータベース
１００  通信システム
【図１】
2014050043.tif 000003
【図２】
2014050043.tif 000004
【図３】
2014050043.tif 000005
【図４】
2014050043.tif 000006